【手続補正書】
【提出日】平成23年3月28日(2011.3.28)
【手続補正１】
【補正対象書類名】明細書
【補正対象項目名】００１９
【補正方法】変更
【補正の内容】
【００１９】
本発明の別の実施形態は、治療効果のある量で生物学的に適合し、心臓の心筋を厚くして強化するために心臓静脈系の或る区間において構造部材を確立する効果のある閉塞剤の、治療に有益な支持パターンに沿って存在する心臓静脈系の複数の区間に治療効果のある量投与することによって患者の心臓を治療するための薬剤の調製への使用である。
（項目１）
心筋および心臓静脈系を有する心臓を治療するキットであって、
上記心臓の心筋を厚くして強化するために治療に有益な構造部材を静脈内に確立する生体適合性閉塞剤の供給源；および
上記生体適合性閉塞剤を上記心臓静脈系の或る区間に送達する静脈内カテーテルであって、
上記供給源と連結する近位部；と
上記静脈の区間に上記生体適合性閉塞剤を治療効果のある量導入する遠位部とを備える上記静脈内カテーテル
を備えるキット。
（項目２）
上記閉塞剤が注入可能である、項目１に記載のキット。
（項目３）
上記閉塞剤が非生体物質を含む、項目２に記載のキット。
（項目４）
上記非生体物質がポリマーである、項目３に記載のキット。
（項目５）
上記閉塞剤が生細胞、成長因子、ペプチド、タンパク質、またはそれらの任意の組合せを更に含む、項目２に記載のキット。
（項目６）
上記閉塞剤が粒子状物質を含む、項目２に記載のキット。
（項目７）
上記閉塞剤が移植可能である、項目２に記載のキット。
（項目８）
上記閉塞剤が薬剤溶出物質を含む、項目２に記載のキット。
（項目９）
心筋および心臓静脈系を有する心臓を治療する方法であって、
上記心臓の上記心筋を厚くして強化するため、内部に治療に有益な構造部材を確立する上記心臓静脈系の或る区間を特定すること；および
上記心臓静脈系の上記区間に生体適合性閉塞剤を治療効果のある量導入すること
を含む方法。
（項目１０）
心筋および心臓静脈系を有する心臓を治療する方法であって、
上記心臓の上記心筋にとって治療に有益な支持パターンであって、上記心臓静脈系の複数の区間に概ねまたがる上記パターンを特定すること；および
上記心臓の上記心筋を厚くして強化するために、上記パターンに従って上記区間に生体適合性閉塞剤を治療効果のある量導入し、上記心臓静脈系の上記区間内部にそれぞれ治療に有益な構造部材を確立すること
を含む方法。
（項目１１）
上記パターンが、上記心臓の心腔の収縮期容積を減少させることによって上記心腔を治療するための全体的パターンである、項目１０に記載の方法。
（項目１２）
上記パターンが、上記心臓の心腔をリシェイピングすることと上記心腔の収縮期容積を減少させることによって上記心腔を治療するための全体的パターンである、項目１０に記載の方法。
（項目１３）
上記パターンが、左心室を治療するための全体的パターンである、項目１０に記載の方法。
（項目１４）
上記パターンが、上記左心室の自由壁の最大幅部分近傍で上記自由壁の少なくとも大半を横切って周方向に延びるラインで基本的に構成される、項目１３に記載の方法。
（項目１５）
上記パターンにおける複数の不連続部位が３〜９カ所である、項目１４に記載の方法。
（項目１６）
上記パターンにおける複数の不連続部位が６〜７カ所である、項目１５に記載の方法。
（項目１７）
上記パターンが、上記左心室の自由壁の少なくとも大半を横切って周方向に延びる複数のラインで基本的に構成される、項目１３に記載の方法。
（項目１８）
上記パターンが、上記左心室の自由壁の少なくとも大半を横切って縦方向に延びるラインを含む、項目１３に記載の方法。
（項目１９）
上記パターンにおける複数の不連続部位が３〜７カ所である、項目１８に記載の方法。
（項目２０）
上記パターンにおける複数の不連続部位が４〜６カ所である、項目１９に記載の方法。
（項目２１）
上記パターンが、上記左心室の自由壁の少なくとも大半を横切って縦方向に延びる複数のラインで基本的に構成される、項目１３に記載の方法。
（項目２２）
上記パターンが、
上記左心室の自由壁の少なくとも大半を横切って周方向に延びるラインと；
上記左心室の自由壁の少なくとも大半を横切って縦方向に延びるラインと；
を含む、項目１３に記載の方法。
（項目２３）
上記パターンが、上記心臓の局所異常を治療するための局所的パターンである、項目１０に記載の方法。
（項目２４）
上記局所異常が上記心筋の動脈瘤である、項目２３に記載の方法。
（項目２５）
上記パターンが、上記心筋の健常組織において上記動脈瘤の外周部に近接し概ね沿うラインで基本的に構成される、項目２３に記載の方法。
（項目２６）
上記生体適合性閉塞剤が注入可能であり；
上記導入するステップが上記生体適合性閉塞剤を上記心臓静脈系の上記区間に導入することを含む
項目１０に記載の方法。
（項目２７）
上記生体適合性閉塞剤が非生体物質を含む、項目２６に記載の方法。
（項目２８）
上記非生体物質がポリマーである、項目２７に記載の方法。
（項目２９）
上記生体適合性閉塞剤が生細胞、成長因子、ペプチド、タンパク質、またはそれらの任意の組合せを更に含む、項目２７に記載の方法。
（項目３０）
上記生体適合性閉塞剤が粒子状物質を含む、項目２６に記載の方法。
（項目３１）
上記閉塞剤が移植可能である、項目１０に記載の方法。
（項目３２）
上記閉塞剤が薬剤溶出物質を含む、項目１０に記載の方法。
（項目３３）
拡張した心腔および心臓静脈系を有する心臓を治療する方法であって、上記心筋を厚くし、上記心腔の収縮期容積を減少させ、上記心腔の機能を改善するために上記心臓静脈系の上記心腔の周囲の複数の区間に治療効果のある量、生体適合性閉塞剤を導入することを含む方法。
（項目３４）
治療効果のある量で生物学的に適合し、上記心臓の上記心筋を厚くして強化するために上記心臓静脈系の或る区間において治療に有益な構造部材を確立する効果のある閉塞剤の、上記心臓静脈系の上記区間に治療効果のある量投与することによって患者の心臓を治療するための薬剤の調製のための使用。
（項目３５）
上記薬剤が針−注射器送達系を用いた適用に適する、項目３４に記載の使用。
（項目３６）
上記薬剤が静脈内カテーテルを用いた適用に適する、項目３４に記載の使用。
（項目３７）
治療効果のある量で生物学的に適合し、上記心臓の上記心筋を厚くして強化するために上記心臓静脈系の或る区間において構造部材を確立する効果のある閉塞剤の、治療に有益な支持パターンに沿って存在する上記心臓静脈系の複数の区間に治療効果のある量投与することによって患者の心臓を治療するための薬剤の調製のための使用。
（項目３８）
上記薬剤が針−注射器送達系を用いた適用に適する、項目３７に記載の使用。
（項目３９）
上記薬剤が静脈内カテーテルを用いた適用に適する、項目３７に記載の使用。
【手続補正２】
【補正対象書類名】特許請求の範囲
【補正対象項目名】全文
【補正方法】変更
【補正の内容】
【特許請求の範囲】
【請求項１】
心筋および心臓静脈系を有する心臓を治療するキットであって、
前記心臓の心筋を厚くして強化するために治療に有益な複数の構造部材を前記心臓静脈系内に確立する生体適合性閉塞剤の供給源；および
拡張型心筋症または鬱血性心不全の治療のための治療効果のある全体的パターンに沿って、前記生体適合性閉塞剤を前記心臓静脈系の複数の区間に送達する静脈内カテーテルであって、
前記供給源と連結する近位部；と
前記静脈の区間に前記生体適合性閉塞剤を治療効果のある量導入し、前記区間において複数の不連続な塊のそれぞれを確立することにより、前記全体的パターンに沿って前記心臓の心筋を厚くして前記心筋におけるストレスを減少させ、そして、前記心臓の心腔内の収縮期容積を減少させる、遠位部と
を備える前記静脈内カテーテル
を備えるキット。
【請求項２】
前記閉塞剤が注入可能である、請求項１に記載のキット。
【請求項３】
前記閉塞剤が非生体物質を含む、請求項２に記載のキット。
【請求項４】
前記非生体物質がポリマーである、請求項３に記載のキット。
【請求項５】
前記閉塞剤が生細胞、成長因子、ペプチド、タンパク質、またはそれらの任意の組合せを更に含む、請求項２に記載のキット。
【請求項６】
前記閉塞剤が粒子状物質を含む、請求項２に記載のキット。
【請求項７】
前記閉塞剤が移植可能である、請求項２に記載のキット。
【請求項８】
前記閉塞剤が薬剤溶出物質を含む、請求項２に記載のキット。
【請求項９】
心筋および心臓静脈系を有する患者の心臓における拡張した心腔を治療するための組成物であって、
構造部材を前記心臓静脈系内に確立するための効果のある生体適合性閉塞剤
を含み、
前記組成物が、前記心臓静脈系の複数の区間に導入されることにより投与され、前記区間が、拡張型心筋症または鬱血性心不全の治療のための治療効果のある全体的パターンに沿って配置され、前記組成物が、前記心臓静脈系の区間に治療効果のある量導入され、前記区間において複数の不連続な塊のそれぞれを確立することにより、前記全体的パターンに沿って前記心臓の心筋を厚くして前記心筋におけるストレスを減少させ、そして、前記心臓の心腔内の収縮期容積を減少させること
を特徴とする組成物。
【請求項１０】
前記全体的パターンが、前記心臓の心腔をリシェイピングすることによっても前記心腔を治療するためのものである、請求項９に記載の組成物。
【請求項１１】
前記全体的パターンが、左心室を治療するためのものである、請求項９に記載の組成物。
【請求項１２】
前記パターンが、前記左心室の自由壁のほぼ最大幅部分において、前記左心室の自由壁の少なくとも大半を横切って、前記心臓の前表面、前外側表面、後外側表面に沿って周方向に延びるラインで基本的に構成される、請求項１１に記載の組成物。
【請求項１３】
前記パターンにおける複数の不連続部位が３〜９カ所である、請求項１２に記載の組成物。
【請求項１４】
前記パターンにおける複数の不連続部位が６〜７カ所である、請求項１３に記載の組成物。
【請求項１５】
前記パターンが、前記左心室の自由壁のほぼ最大幅部分の近傍において、前記左心室の自由壁の少なくとも大半を横切って、前記心臓の前表面、前外側表面、後外側表面に沿って周方向に延びる２本のラインで基本的に構成される、請求項１１に記載の組成物。
【請求項１６】
前記パターンが、前記左心室の自由壁の少なくとも大半を横切って周方向に延びる複数のラインで基本的に構成される、請求項１１に記載の組成物。
【請求項１７】
前記パターンが、前記左心室の自由壁の少なくとも大半を横切って縦方向に延びるラインを含む、請求項１１に記載の組成物。
【請求項１８】
前記パターンにおける複数の不連続部位が３〜７カ所である、請求項１７に記載の組成物。
【請求項１９】
前記パターンにおける複数の不連続部位が４〜６カ所である、請求項１８に記載の組成物。
【請求項２０】
前記パターンが、前記左心室の自由壁の少なくとも大半を横切って縦方向に延びる複数のラインで基本的に構成される、請求項１１に記載の組成物。
【請求項２１】
前記パターンが、
前記左心室の自由壁の少なくとも大半を横切って周方向に延びるラインと；
前記左心室の自由壁の少なくとも大半を横切って縦方向に延びるラインと；
を含む、請求項１１に記載の組成物。
【請求項２２】
前記生体適合性閉塞剤が注入可能であり；
前記導入するステップが前記生体適合性閉塞剤を前記心臓静脈系の前記区間に注入することを含む、請求項９に記載の組成物。
【請求項２３】
前記生体適合性閉塞剤が非生体物質を含む、請求項２２に記載の組成物。
【請求項２４】
前記非生体物質がポリマーである、請求項２３に記載の組成物。
【請求項２５】
前記生体適合性閉塞剤が生細胞、成長因子、ペプチド、タンパク質、またはそれらの任意の組合せを更に含む、請求項２３に記載の組成物。
【請求項２６】
前記生体適合性閉塞剤が粒子状物質を含む、請求項２２に記載の組成物。
【請求項２７】
前記閉塞剤が移植可能である、請求項９に記載の組成物。
【請求項２８】
前記閉塞剤が薬剤溶出物質を含む、請求項９に記載の組成物。
【請求項２９】
拡張型心筋症または鬱血性心不全の治療のための治療効果のある全体的パターンに沿って存在する心臓静脈系の複数の区間に投与することによって心臓を治療するための薬剤の調製のための、治療効果のある量で生物学的に適合し、心臓の心筋を厚くして強化するために患者の心臓の前記心臓静脈系の或る区間において構造部材を確立する効果のある閉塞剤の使用であって、
前記薬剤は、前記心臓静脈系の区間に治療効果のある量導入され、前記区間において複数の不連続な塊のそれぞれを確立することにより、前記全体的パターンに沿って前記心臓の心筋を厚くして前記心筋におけるストレスを減少させ、そして、前記心臓の心腔内の収縮期容積を減少させる、使用。
【請求項３０】
前記薬剤が針−注射器送達系を用いた適用に適する、請求項２９に記載の使用。
【請求項３１】
前記薬剤が静脈内カテーテルを用いた適用に適する、請求項２９に記載の使用。